(57)【要約】      （修正有）【課題】多孔質板を用いた吸着テーブルにおいて、基板に働く吸着力の大きさや分布を調整することができるようにした構造の吸着テーブルを提供する。【解決手段】多孔質板で形成され上面１１ａに基板Ｇが載置されるステージ１１と、ベース１２とからなり、内部に中空空間１４が形成されるとともに、ステージの裏面１１ｂが中空空間１４に面するように構成されたテーブル本体１３と、中空空間１４を減圧する真空排気機構１７とを備えた吸着テーブル１０であって、ステージの裏面１１ｂは、通気性のないシール部材２１で覆われるとともにシール部材２１の一部にリーク穴２２が形成され、中空空間１４を減圧状態にするとリーク穴２２から多孔質板を介してリークが生じるようにする。【選択図】図１
2012076204.tif 000002
【特許請求の範囲】
【請求項１】
多孔質板で形成され上面に基板が載置されるステージと、前記ステージの周縁部分を支持するベースとからなり、内部に中空空間が形成されるとともに、前記ステージの裏面が前記中空空間に面するように構成されたテーブル本体と、
前記中空空間を減圧する真空排気機構とを備えた吸着テーブルであって、
前記ステージの裏面は、通気性のないシール部材で覆われるとともに前記シール部材の一部にリーク穴が形成され、
中空空間を減圧状態にすると前記リーク穴から多孔質板を介してリークが生じるようにしたことを特徴とする吸着テーブル。
【請求項２】
前記リーク穴はシール部材から深さ方向に延伸されて多孔質板にリーク穴の底が形成されてなる請求項１に記載の吸着テーブル。
【請求項３】
前記リーク穴の底の深さは多孔質板の板厚の１０％〜５０％である請求項１に記載の吸着テーブル。
【請求項４】
前記リーク穴はステージの裏面に格子状に複数形成される請求項１に記載の吸着テーブル。
【請求項５】
前記リーク穴はステージの裏面に複数形成されるとともに、リーク穴の分布、リーク穴の単位面積当たりの数、リーク穴の深さ、リーク穴の径の少なくともいずれかが不均一になるようにして、吸着力を不均一に働かせるようにした請求項１に記載の吸着テーブル。
【発明の詳細な説明】
【技術分野】
【０００１】
本発明は、真空吸着によって平板状の基板を固定する吸着テーブルに関し、さらに詳細には吸着面が多孔質材料で形成された吸着テーブルに関する。
【背景技術】
【０００２】
真空吸着によって基板を固定する吸着テーブルは、さまざまな分野の基板加工装置で利用されている。例えば、大型のガラス基板や半導体基板（いわゆるマザー基板）の上に多数の電子部品をパターン形成し、これを個々の電子部品ごとに分断する基板加工装置では、カッターホイール等を用いたメカニカルスクライブやレーザビームを用いたレーザスクライブによって、基板にスクライブラインを形成する加工が行われる。その際に、所望の位置にスクライブラインを形成するために基板を位置決めして吸着テーブルで固定するようにしている。
【０００３】
基板加工装置に用いる吸着テーブルには、金属板に多数の吸着用の貫通孔を形成して吸着面としたタイプのテーブルと、多孔質板を吸着面としたタイプのテーブルとが知られている（特許文献１参照）。
【０００４】
図８は金属板に多数の吸着用の貫通孔を形成したタイプの吸着テーブルの一例を示す断面図である。吸着テーブル５０は、上面５１ａ（吸着面となるステージ表面）に基板が載置される金属製のステージ５１と、ステージ５１をその周縁で支持するベース５２とを備えている。ステージ５１は、基板Ｇが載置される領域に、多数の貫通孔５３が格子状に形成してある。ステージ５１の直下には、中空空間５４が形成してあり、ステージ５１の裏面５１ｂが中空空間５４に面するようにしてある。そして、各貫通孔５３が中空空間５４に通じるようにしてある。
【０００５】
ベース５２の中心にはプラグ５５が取り付けてあり、プラグ５５には中空空間５４に通じる流路５５ａが形成してある。プラグ５５は、さらに外部流路５６を介して真空ポンプ５７、エアー源５８に接続され、弁５９，６０の開閉によって中空空間５４を減圧状態にしたり、大気圧状態に戻したりできるようにしてある。
【０００６】
吸着テーブル５０では、基板Ｇがステージ５１上に載置されることによってすべての貫通孔５３が塞がれているときに強い吸着力が働くようになり、基板Ｇを安定して固定することができる。例えば、真空ポンプ５７で排気したときに貫通孔５３がすべて基板Ｇで塞がれると、中空空間５４の圧力はプラグ５５近傍に設けた圧力センサ６１でモニタすると、−６０ＫＰａ程度の圧力まで減圧されるが、基板Ｇを取り去ってすべての貫通孔５３を開放すると中空空間５４は−５ＫＰａ程度の圧力になる。したがってすべての貫通孔５３を塞ぐように基板Ｇを載置すれば、これら２つの状態間の圧力差（差圧約５５ＫＰａ程度）が各貫通孔５３を介して吸着力として働くようになる。なお、吸着テーブル５０の場合は、基板Ｇの位置がずれて貫通孔５３が１つでも開放されると、その開放された貫通孔から大きなリークが生じることになり、吸着力は一挙に弱まることになる。
【０００７】
一方、図９はセラミック製の多孔質板を吸着面に用いたタイプの吸着テーブルの一例を示す断面図である。
吸着テーブル７０では、図８における金属製のステージ５１に代えて、多孔質板からなるステージ７１が用いられる。多孔質板には多数の微細孔が含まれており、上面７１ａと下面７１ｂとの間で通気性を有している。なお、ステージ７１以外の各部分は、図５と同じ構成であるので、同符号を付して説明の一部を省略する。
【０００８】
吸着テーブル７０では、真空ポンプ５７を作動すると中空空間５４が減圧状態になり、多孔質板全面の微細孔を介してリークが発生し、ステージ７１における上面７１ａのほぼ全面にて吸着できるようになる。そのため、上面７１ａのどこに基板Ｇを載置しても吸着する。しかし、多孔質板では微細孔を通過する気体の流れの抵抗が大きく、リーク量は小さいため、大きな吸着力は望めない。
【０００９】
例えば、真空ポンプ５７で排気したときに上面７１ａ全体（すなわち吸着面全体）を基板Ｇによって完全に塞ぐと、中空空間５４は圧力センサ６１で−６０ＫＰａ程度の圧力まで減圧されるが、基板Ｇを取り去って上面７１ａ全体を開放した場合でも微細孔によるリーク量は小さく、中空空間５４は−５５ＫＰａ程度の減圧状態になる。すなわち、多孔質板では小さな圧力差（差圧５ＫＰａ程度）しか吸着力として利用できないことになる。
【先行技術文献】
【特許文献】
【００１０】
【特許文献１】特開２０００−３３２０８７号公報
【発明の概要】
【発明が解決しようとする課題】
【００１１】
上述したように、後者の多孔質板を用いた吸着テーブル７０では、前者の吸着テーブル５０で貫通孔５３を介して得られるような強い吸着力を得ることはできない。吸着テーブル７０では、上面７１ａ（多孔質面）と基板Ｇとが接する面全体で吸着力が生じるので、上面７１ａと接する基板面積が増えれば吸着力は少しずつ増大する。そのため、上面７１ａに載置した基板Ｇを確実に固定するには、基板Ｇの面積を十分に大きくして基板Ｇ全体に働く吸着力が、基板を保持するために必要な力（基板保持力ともいう）よりも大きくなるようにしなければならなかった。
【００１２】
例えば、図９で示した吸着テーブル７０では、上面７１ａの上で、吸着力を発生させることができる領域の面積を吸着有効面積Ｓとすると、多孔質板の材質、特に気孔率にも依存するが、一般的なセラミック製の多孔質板の場合には、図１０に示すように、吸着有効面積Ｓの６０％以上（すなわち０．６Ｓ以上）を覆うように基板Ｇを載置しなければ、安定して基板を固定することができなかった。
【００１３】
そこで、本発明は多孔質板を吸着面に用いた吸着テーブルであって、これまでよりも吸着面に載置した基板に働く吸着力が強くなるように（あるいは逆に弱くなるように）調整することができるようにした構造の吸着テーブルを提供することを目的とする。
【００１４】
また、本発明は、基板が載置されるステージの上面における吸着有効面積の１０％〜３０％を基板で覆うだけで、当該基板を安定して固定するのに十分な吸着力を得ることができる吸着テーブルを提供することを目的とする。
【００１５】
さらに、別の観点からなされた本発明は、多孔質板を用いた吸着テーブルで、多孔質内に生じるリークの流れの状態を変化させて、従来よりも吸着力を強めたり、逆に弱めたりすることで、吸着テーブルに載置した基板に対する吸着力の大きさや分布を調整することができるようにした吸着テーブルを提供することを目的とする。
【課題を解決するための手段】
【００１６】
上記課題を解決するためになされた本発明の吸着テーブルは、多孔質板で形成され上面に基板が載置されるステージと、ステージの周縁部分を支持するベースとからなり、内部に中空空間が形成されるとともに、ステージの裏面が中空空間に面するように構成されたテーブル本体と、中空空間を減圧する真空排気機構とを備えた吸着テーブルであって、ステージの裏面は、通気性のないシール部材で覆われるとともにシール部材の一部にリーク穴が形成され、中空空間を減圧状態にするとリーク穴から多孔質板を介してリークが生じるようにしてある。
【発明の効果】
【００１７】
本発明によれば、中空空間を真空排気して減圧状態にすると、シール部材の一部に形成されたリーク穴から多孔質板を介してリークが生じるようになる。リーク穴以外はシール部材で塞がれているので、これまでのように多孔質板全面（ステージ全面）で均一にリークが生じるのではなく、リーク穴からその上方領域に向かう局所的なリークが生じるようになる。その結果、多孔質板内のリークの発生状態（気体の流れ状態）が変化し、吸着力の大きさや分布が変化するようになって、これまでの吸着テーブル（例えば図９参照）と異なる分布で吸着力が得られるようになる。具体的には、吸着力が発生する領域はリーク穴の上方領域に集中するようになり、多孔質板であってもリーク穴を形成した近傍だけに吸着力を発生させることができるようになる。
【００１８】
ここで、リーク穴はシール部材から深さ方向に延伸されて多孔質板にリーク穴の底が形成されるようにしてもよい。
リーク穴を深くすることで、リーク穴の底が多孔質板に形成されるようになると、多孔質板に形成されるリーク穴の表面積（穴の底面積と側面面積との和）に依存してリーク量が増大するようになり、また、多孔質板内での気体の流れの分布も変化するようになり、従来のシール部材とリーク穴とを設けていない多孔質板による吸着テーブルよりも吸着力を強くすることができる。
【００１９】
ここで、リーク穴の底の深さは多孔質板の板厚の１０％〜５０％であるのが好ましい。
多孔質板に形成されるリーク穴の深さがこれより浅いと、吸着力が生じる領域の分布を調整することはできるがリーク量が少なくなって吸着力は小さくなる。リーク穴の深さがこれより深いと、ほぼ上面全体で吸着力が働くようになるが、リーク量も過大になり、基板の種類によっては強すぎる吸着力が基板に衝撃を与えたりして悪影響を与えてしまうおそれがある。それゆえ、リーク穴の底の深さは多孔質板の板厚の１０％〜５０％であれば、リーク穴を形成していない多孔質板に比べて大きな吸着力が得られるとともに適度な吸着力が得られるようになり、バランスがとれた吸着力の吸着テーブルとなる。
【００２０】
上記発明において、リーク穴はステージの裏面に格子状に複数形成されるのが好ましい。これにより、ステージの全体にわたってほぼ均一に基板を吸着することができる。
【００２１】
上記発明において、リーク穴はステージの裏面に複数形成されるとともに、リーク穴の分布、リーク穴の単位面積当たりの数、リーク穴の深さ、リーク穴の径の少なくともいずれかが不均一になるようにして、吸着力が不均一に働くようにしてもよい。
リーク量を不均一な分布にすることで、吸着力もステージに対し不均一に与えることができるようになる。例えば、中央と周囲とで吸着力を変化させたり、ステージの一部に強い吸着力を与えたりすることができるようになる。
【図面の簡単な説明】
【００２２】
【図１】本発明にかかる吸着テーブルの一実施例を示す断面図である。
【図２】図１における吸着テーブルの平面図である。
【図３】本発明の吸着テーブルに用いるステージの加工手順を示す工程図である。
【図４】リーク穴２２によるステージの吸着状態を模式的に示した図である。
【図５】リーク穴２３の深さを５ｍｍ程度にしたときのステージの吸着状態を模式的に示した図である。
【図６】リーク穴２３の深さを１５ｍｍ程度にしたときのステージの吸着状態を模式的に示した図である。
【図７】リーク穴２３の深さをステージの左右で変化させたときのステージの吸着状態を模式的に示した図である。
【図８】金属板に多数の吸着用の貫通孔を形成したタイプの吸着テーブルの一例を示す断面図である（従来例）。
【図９】多孔質板を吸着面に用いたタイプの吸着テーブルの一例を示す断面図である（従来例）。
【図１０】図９の従来型の吸着テーブルで基板を安定して固定するために必要な基板面積を示す図である（従来例）。
【発明を実施するための形態】
【００２３】
以下において本発明にかかる吸着テーブルの詳細をその実施の形態を示す図面に基づいて詳細に説明する。
図１は、本発明にかかる吸着テーブルの一実施例を示す断面図であり、図２はその平面図である。
【００２４】
吸着テーブル１０は、上面１１ａ（ステージ表面）に基板Ｇが載置される方形のステージ１１と、ステージ１１をその周縁で当接するようにして支持するベース１２とからなるテーブル本体１３を備えている。本実施形態ではステージ１１の周縁の下面１１ｃでベース１２に支持されているが、図９で説明したステージ７１と同様に、ステージ周縁の側面がベースに支持されるようにしてもよい。いずれの場合も接触面は密着するようにして境界面からリークが生じないようにしてあればよい。
【００２５】
ステージ１１はセラミック製の多孔質板で形成され、裏面１１ｂにはシール部材２１が固着されるとともにシール穴２３（２２）が一定ピッチで格子状に形成されている。これらの詳細については後述する。ステージ１１およびベース１２の周縁を除いた内側部分には、ステージ１１の下面およびベース１２の上面に凹部が加工されることによって中空空間１４が形成してあり、ステージ１１の裏面１１ｂ（内側部分の下面）が中空空間１４に面するようにしてある。なお中空空間１４はステージ１１側だけに凹部を加工するようにして設けてもよいし、ベース１２側だけに凹部を加工するようにして設けてもよい。
【００２６】
ベース１２の中心にはプラグ１５が取り付けてあり、プラグ１５には中空空間１４に通じる流路１５ａが形成してある。プラグ１５はさらに外部流路１６を介して真空ポンプ１７、エアー源１８に接続され、弁１９を開くことによって中空空間１４を減圧状態にしたり、弁３０を開くことによって大気圧状態に戻したりできるようにしてある。
【００２７】
プラグ１５の近傍の外部流路１６には圧力センサ３１が取り付けてあり、中空空間１４の圧力がモニタできるとともに、予め閾値を設定しておくことで、基板Ｇを安定して固定するために必要な基板保持力が確保できているか否かの判定を行う真空スイッチとして使用できるようにしてある。
【００２８】
次に、ステージ１１の裏面１１ｂの加工について説明する。図３は多孔質板からなるステージ１１の加工手順を示す図である。
まず、図３（ａ）に示すように、基板が載置される表面１１ａは平坦面になるように加工し、反対側には裏面１１ｂと周縁の下面１１ｃとからなる凹部を形成する。
続いて、図３（ｂ）に示すように、裏面１１ｂを覆うようにシール部材２１を固着する。具体的には、ステージ１１の裏面１１ｂ全体を覆うように、接着剤として用いられるエポキシ樹脂をシール部材２１として塗布する。なお、シール部材２１は多孔質部材の通気性を遮断できる材料であれば特に限定されない。
続いて、図３（ｃ）に示すように、形成されたシール部材２１に対し、リーク穴２２を形成する。本実施形態ではリーク穴２２は一定ピッチで裏面１１ｂの全体にわたって正方格子状に形成する。
続いて、図３（ｄ）に示すように、リーク穴２２をステージ１１の深さ方向に向けて加工し、ステージ１１の内部に達するリーク穴２３（貫通はしない）を形成する。具体的にはドリル加工やレーザアブレーション加工により、所望の深さのリーク穴２３を形成する。
【００２９】
ステージ１１に形成されるリーク穴の好ましい深さは、板厚の１０％〜５０％である。例えば板厚が２０ｍｍであるとすると２ｍｍ〜１０ｍｍの深さにすれば、バランスのよい吸着力にすることができる。すなわち、ステージ１１の有効吸着面積の１０％〜３０％の面積を有する基板を、確実に固定することができるようになる。
【００３０】
なお、ステージ１１を貫通しないようにする限り、これよりも深いシール穴２３を形成してもよいし、シール部材２１だけを貫通するシール穴２２にしてもよい。それぞれ特徴のある分布で吸着力を生じるようになる。
また、リーク穴の好ましい穴径は、多孔質板の材質、リーク穴深さなどの他のパラメータにも依存するが、０．５ｍｍ〜５ｍｍであればよい。
【００３１】
図４〜図６はリーク穴２２，２３の深さの違いによる吸着状態の変化を模式的に示した図である。
【００３２】
図４は、シール部材２１だけを貫通するリーク穴２２を形成したときの吸着状態であり、図５はステージ１１で深さ５ｍｍ程度（板厚２０ｍｍの２５％）のリーク穴２３を形成したときの吸着状態であり、図６はステージ１１で深さ１５ｍｍ程度（板厚２０ｍｍの７５％）のリーク穴を形成したときの吸着状態である。穴径はいずれも３ｍｍである。
いずれも、（ａ）はステージ１１の断面の模式図であり、気流の流れが生じている範囲を実線で示している。また、（ｂ）はステージ１１の上面１１ａの模式図であり、吸着力が生じている領域をＡ，Ｂ，Ｃで示している。
【００３３】
シール部材２１にリーク穴２２を開けただけの場合は、図４で示されるように、リーク量が限られ、リーク穴２２の直上の領域Ａだけに吸着力が作用する。この場合は、例えば非常に脆い基板を弱い吸着力で吸着させたい場合などに利用できる。
【００３４】
穴底が多孔質板に至るリーク穴２３をあけた場合は、図５に示されるように、吸着領域Ｂはかなり広がり、しかもリーク穴２３の直上の位置では多孔質の板厚が薄くなっているので流れの抵抗が小さくなって吸着力も増大している。この場合は、基板Ｇの面積がステージ１１の吸着有効面積Ｓの１０％〜３０％程度であっても確実に吸着できるようになっている。
【００３５】
穴底が多孔質板の板厚の５０％以上の深さになるまでリーク穴を深くした場合は、図６に示されるように、吸着領域Ｃはさらに広がり、ステージ１１の吸着有効面積のほぼ全面で強く吸着されるようになっている。
【００３６】
以上本発明の代表的な実施例について説明したが、本発明は必ずしも上記の実施形態に特定されるものでなく、その目的を達成し、請求の範囲を逸脱しない範囲内で適宜修正、変更することが可能である。
【００３７】
例えば、これまでは、ステージ１１の上面１１ａで，できるだけ均一な分布になるように格子状に吸着力が働くようにしていたが、これとは反対に、リーク穴の分布、リーク穴の単位面積当たりの数、リーク穴の深さ、リーク穴の径などのパラメータが不均一になるようにして、吸着力が不均一に働くようにすることもできる。
図７は、リーク穴２３の深さ分布を不均一にした例である。本実施形態では左側半分を図５で説明したリーク穴２３とし、右側半分を図４で説明したリーク穴２２としている。これにより、スクライブラインに沿って基板Ｇの左側を強く吸着し、右側を弱く吸着させた状態で加工することができるようになり、基板Ｇに外力が加わったときに右側が逃げやすくすることで過大な負荷がかからないようにすることができる。
リーク穴の深さを不均一にするだけではなく、穴径を不均一にしてもよいし、穴数を不均一にしてもよい。また、リーク穴の分布、リーク穴の単位面積当たりの数を不均一にしても同様の効果を得ることができるようになる。
【００３８】
また、これ以外にも、ステージ１１の中央と、外側とでリーク穴を不均一にして吸着力を変化させたりしてもよい。
【産業上の利用可能性】
【００３９】
本発明の吸着テーブルは、基板加工装置で基板を固定するテーブルとして利用することができる。
【符号の説明】
【００４０】
Ｇ  基板
１０  吸着テーブル
１１  ステージ（多孔質板）
１１ａ  上面
１１ｂ  裏面
１２  ベース
１３  テーブル本体
１４  中空空間
１５  プラグ
１６  外部流路
１７  真空ポンプ（真空排気機構）
１８  エアー源
２１  シール部材
２２  リーク穴
２３  リーク穴
３１  圧力センサ
【図１】
2012076204.tif 000003
【図２】
2012076204.tif 000004
【図３】
2012076204.tif 000005
【図４】
2012076204.tif 000006
【図５】
2012076204.tif 000007
【図６】
2012076204.tif 000008
【図７】
2012076204.tif 000009
【図８】
2012076204.tif 000010
【図９】
2012076204.tif 000011
【図１０】
2012076204.tif 000012